(57)【要約】      （修正有）【課題】パレットの上面に固定される下金枠の内側に立設され被収容物収容空間を形成する四つの側板について、三つの側板による一体的な三面構造を保持し、残り一つの側板の取り外しが容易に行え、被収容物を確認できる組み立て式コンテナを提供する。【解決手段】パレット１０上の下金枠２０の内面の段差面に四つの側板３０，４０，５０，６０が建て付けられ、左右の側板４０，５０は、左右一対の第２の連結金枠２３に支持され、後側板６０は、左右の下部が、左右の側板４０，５０と後側の一対のコーナー金具２１との間に収容され、左右の上部が、一対の後側連結手段により後側板６０の上部と連結され、前側板３０は、左右の下部が、左右の側板４０，５０と前側の一対のコーナー金具２１との間に収容され、左右の上部が、一対の前側連結手段により前側板３０の上部と連結される。【選択図】図１
0003210363.tif 000002
【実用新案登録請求の範囲】
【請求項１】
パレットと、
四つのコーナー金具と、前後に対向する一対の第１の連結金枠と、左右に対向する一対の第２の連結金枠とを有し、矩形状に前記パレットの上面に設けられた下金枠と、
前記下金枠の内側に接して立設される前側板、右側板、左側板および後側板と、を備え、
前記右側板と前記左側板は、前記第２の連結金枠に支持され、
前記後側板の左右の下部は、前記右側板および前記左側板の各後端下部と後側の前記一対のコーナー金具の内面部との間に収容されるとともに、前記後側板の左右の上部は、一対の後側連結手段により前記右側板および前記左側板の各後端上部と連結され、
前記前側板の左右の下部は、前記右側板および前記左側板の各前端下部と前側の前記一対のコーナー金具の内面部との間に収容されるとともに、前記前側板の左右の上部は、一対の前側連結手段により前記右側板および前記左側板の各前端上部と連結されていることを特徴とする組み立て式コンテナ。
【請求項２】
前記後側連結手段は、
前記後側板の両側の端面に固定され前記右側板および前記左側板の後側の側面部に当接する一対の後側外当て板と、
前記後側外当て板に設けられた後側係合凹部と、前記右側板および前記左側板の後側の側面部に設けられた後側係合ピンとを有する一対の後側係合機構と、
前記右側板および前記左側板の後端側上部に設けられ、前記後側板の外面上部に係止する係止状態と前記後側板の外面上部に係止しない非係止状態との間で回動可能な一対の後側フック片と、を備え、
前記前側連結手段は、
前記前側板の両側の端面に固定され前記右側板および前記左側板の前側の側面部に当接する一対の前側外当て板と、
前記前側外当て板に設けられた前側係合凹部と、前記右側板および前記左側板の前側の側面部に設けられた前側係合ピンとを有する一対の前側係合機構と、
前記右側板および前記左側板の前端側上部に設けられ、前記前側板の外面上部に係止する係止状態と前記前側板の外面上部に係止しない非係止状態との間で回動可能な一対の前側フック片と、を備える請求項１に記載の組み立て式コンテナ。
【請求項３】
前記第１および第２の連結金枠の内面の所要高さ位置に段差面を有し、
前記第２の連結金枠と、前記第２の連結金枠の前記段差面に載置された前記右側板および前記左側板と、を着脱可能に係合する係合手段を有する請求項１または２に記載の組み立て式コンテナ。
【請求項４】
前記係合手段は、傾斜案内機構により構成され、
前記傾斜案内機構は、水平方向の相対移動成分を生じて互いに係合する係合凸部と係合凹部のいずれか一方を、前記右側板および前記左側板の下部に有し、いずれか他方を前記第２の連結金枠の段差面より上側部分に有し、前記右側板および前記左側板を前記第２の連結金枠の前記段差面に載置した際に、係合凸部と係合凹部とが係合するように構成されている請求項３に記載の組み立て式コンテナ。
【請求項５】
前記傾斜案内機構は、前記右側板と前記左側板の各下部外面に設けられた前記係合凸部としてのピン軸と、前記第２の連結金枠の各垂直部に上端より切り欠き形成された前記係合凹部としての傾斜案内溝とが係合し、前記後側板が建て付けられ前記ピン軸の前記傾斜案内溝内の戻り方向の移動が拘束されることにより、前記下金枠に前記右側板および前記左側板が浮き上がり不能に支持されている請求項４に記載の組み立て式コンテナ。
【請求項６】
前記ピン軸の端部に、前記ピン軸の前記傾斜案内溝から軸方向への離脱を不能にする離脱防止フランジを備えている請求項５に記載の組み立て式コンテナ。
【考案の詳細な説明】
【技術分野】
【０００１】
本考案は、組み立て式コンテナに関する。
【背景技術】
【０００２】
従来より、フォークリフトにより抱持されるパレットの上面に下金枠を固定し、下金枠の内側に四つの側板を立設して内部収容空間を形成する組み立て式コンテナが開示されている（例えば、特許文献１参照）。
【０００３】
特許文献１に開示された組み立て式コンテナは、パレットと、パレットの上面に固定された下金枠と、下金枠の内側に立設される各一対の第１および第２の側板と、を備え、パレットが、四隅のコーナー金具と、隣り合うコーナー金具同士を連結している第１および第２の連結金枠と、を有してなり、各一対の第１および第２の側板の枠の下部に設けられた回動ピンがコーナー金具に設けられた回動ピン用切り欠きに挿入され、隣り合う側板同士の上部がスピンドルを有する側板固定スピンドル部連結されている構成である。
【先行技術文献】
【特許文献】
【０００４】
【特許文献１】特開２０１７−１３８４８号公報
【考案の概要】
【考案が解決しようとする課題】
【０００５】
しかしながら、従来の組み立て式コンテナにあっては、被収容物の確認等を行うためにいずれか側板を取り外す構造とすることについては、何ら考慮されていないという問題があった。
【０００６】
例えば、特許文献１に開示された組み立て式コンテナにあっては、各一対の第１および第２の側板が下金枠に容易には分離不能にピン結合されており、いずれかの側板も取り外すことはできないとう問題があった。このため、コンテナ内の被収容物を確認したい場合、上方から見るしかできないばかりか、被収容物の下部について確認したくても、被収容物を取り出すしか確認することができないという問題があった。
【０００７】
本考案は、上述した問題点を解決するために案出されたもので、パレットの上面に固定される下金枠の内側に立設され被収容物収容空間を形成する四つの側板について、三つの側板による一体的な三面構造が保持されたまま、残り一つの側板の取り外しが容易に行えることにより、被収容物収容空間に収容された被収容物を十分に確認することができる組み立て式コンテナを提供することを目的としている。
【課題を解決するための手段】
【０００８】
本考案の組み立て式コンテナは、上述した問題点を解決するため、パレットと、四つのコーナー金具と、前後に対向する一対の第１の連結金枠と、左右に対向する一対の第２の連結金枠とを有し、矩形状に前記パレットの上面に設けられた下金枠と、前記下金枠の内側に接して立設される前側板、右側板、左側板および後側板と、を備え、前記右側板と前記左側板は、前記第２の連結金枠に支持され、前記後側板の左右の下部は、前記右側板および前記左側板の各後端下部と後側の一対のコーナー金具の内面部との間に収容されるとともに、前記後側板の左右の上部は、一対の後側連結手段により前記右側板および前記左側板の各後端上部と連結され、前記前側板の左右の下部は、前記右側板および前記左側板の各前端下部と前側の一対のコーナー金具の内面部との間に収容されるとともに、前記前側板の左右の上部は、一対の前側連結手段により前記右側板および前記左側板の各前端上部と連結されている構成である。
【０００９】
この構成によれば、下金枠の内面に建て付けられた四つの側板のうち、右側板と左側板が前記第２の連結金枠に支持され、後側板と前側板がその下部を後側および前側の各一対のコーナー金具の内面部との間に挟まれた状態で後側連結手段と前側連結手段により連結されることで、右側板と左側板と後側板と前側板とが一体的な四面構造となり、被収容物収容空間を形成する。このため、パレットの上面に固定される下金枠の内側に立設され被収容物収容空間を形成する四つの側板について、三つの側板による一体的な三面構造が保持されたまま、残り一つの側板の取り外しが容易に行えることにより、被収容物収容空間に収容された被収容物を十分に確認することができる。
【００１０】
本考案の組み立て式コンテナにおいて、前記後側連結手段は、前記後側板の両側の端面に固定され前記右側板および前記左側板の後側の側面部に当接する一対の後側外当て板と、前記後側外当て板に設けられた後側係合凹部と、前記右側板および前記左側板の後側の側面部に設けられた後側係合ピンとを有する一対の後側係合機構と、前記右側板および前記左側板の後端側上部に設けられ、前記後側板の外面上部に係止する係止状態と前記後側板の外面上部に係止しない非係止状態との間で回動可能な一対の後側フック片と、を備え、前記前側連結手段は、前記前側板の両側の端面に固定され前記右側板および前記左側板の前側の側面部に当接する一対の前側外当て板と、前記前側外当て板に設けられた前側係合凹部と、前記右側板および前記左側板の前側の側面部に設けられた前側係合ピンとを有する一対の前側係合機構と、前記右側板および前記左側板の前端側上部に設けられ、前記前側板の外面上部に係止する係止状態と前記前側板の外面上部に係止しない非係止状態との間で回動可能な一対の前側フック片と、を備える構成とすることができる。
【００１１】
この構成によれば、各フック片を後側板の外面上部および前側板の外面上部に係止しない非係止状態において、後側係合機構および前側係合機構を有することにより右側板および左側板が内倒れすることを防止し、かつ、一対の後側外当て板および一対の前側外当て板を有することにより右側板および左側板が外倒れすることを防止し、平面方向から見たときに矩形状になるように前側板、右側板、左側板および後側板の姿勢を保持できる。一方、各フック片を前記後側板の外面上部および前記前側板の外面上部に係止する係止状態において、前側板および後側板が外倒れすることを防止して、平面方向から見たときに矩形状になるように前側板、右側板、左側板および後側板の姿勢をさらに保持できる。
【００１２】
本考案の組み立て式コンテナにおいて、前記第１および第２の連結金枠の内面の所要高さ位置に段差面を有し、前記第２の連結金枠と、前記第２の連結金枠の前記段差面に載置された前記右側板および前記左側板と、を着脱可能に係合する係合手段を有する構成とすることができる。
【００１３】
本考案の組み立て式コンテナにおいて、前記係合手段は、傾斜案内機構により構成され、前記傾斜案内機構は、水平方向の相対移動成分を生じて互いに係合する係合凸部と係合凹部のいずれか一方を、前記右側板および前記左側板の下部に有し、いずれか他方を前記第２の連結金枠の段差面より上側部分に有し、前記右側板および前記左側板を前記第２の連結金枠の前記段差面に載置した際に、係合凸部と係合凹部とが係合するように構成されていてもよい。
【００１４】
本考案の組み立て式コンテナにおいて、前記傾斜案内機構は、前記右側板と前記左側板の各下部外面に設けられた前記係合凸部としてのピン軸と、前記第２の連結金枠の各垂直部に上端より切り欠き形成された前記係合凹部としての傾斜案内溝とが係合し、前記後側板が建て付けられ前記ピン軸の前記傾斜案内溝内の戻り方向の移動が拘束されることにより、前記下金枠に前記右側板および前記左側板が浮き上がり不能に支持されている構成としてもよい。
【００１５】
本考案の組み立て式コンテナにおいて、前記ピン軸の端部に、前記ピン軸の前記傾斜案内溝から軸方向への離脱を不能にする離脱防止フランジを備えている構成とすることができる。
【考案の効果】
【００１６】
本考案によれば、パレットの上面に固定される下金枠の内側に立設され被収容物収容空間を形成する四つの側板について、三つの側板による一体的な三面構造が保持されたまま、残り一つの側板の取り外しが容易に行えることにより、被収容物収容空間に収容された被収容物を十分に確認することができる組み立て式コンテナを提供することができる。
【図面の簡単な説明】
【００１７】
【図１】本考案の一実施の形態に係る組み立て式コンテナの分解斜視図である。
【図２】本考案の一実施の形態に係る組み立て式コンテナであって、上蓋と前側板を取り外す状態を示す斜視図である。
【図３】本考案の一実施の形態に係る組み立て式コンテナであって、上蓋を被せる前の組立完了状態を示す斜視図である。
【図４】本考案の一実施の形態の組み立て式コンテナであって、パレットと下金枠との組立体を示す斜視図である。
【図５】本考案の一実施の形態の組み立て式コンテナの前側板の正面図である。
【図６】図５における前側板の裏面図である。
【図７】図６における前側板のＶＩＩ−ＶＩＩ断面図である。
【図８】本考案の一実施の形態に係る組み立て式コンテナの正面図である。
【図９】本考案の一実施の形態に係る組み立て式コンテナの左側面図である。
【図１０】本考案の一実施の形態の組み立て式コンテナであって、左側板の下部と下金枠との連結部を示す詳細図である。
【図１１】本考案の一実施の形態の組み立て式コンテナであって、パレットと下金枠との組立体に左右の側板を建て付けた状態を前側から見た縦断面図である。
【図１２】本考案の一実施の形態の組み立て式コンテナであって、パレットと下金枠との組立体に左右の側板を建て付けた状態を示す平面図である。
【図１３】本考案の一実施の形態の組み立て式コンテナであって、パレットと下金枠との組立体に四つの側板を建て付けた状態を示す平面図である。
【図１４】本考案の一実施の形態の組み立て式コンテナにおける後側板と右側板および左側板の上端同士の接続状態を示す部分拡大側面図であり、図１４（ａ）は後側板と左側板の上端同士の接続状態を示し、図１４（ｂ）は後側板と右側板の上端同士の接続状態を示している。
【図１５】本考案の一実施の形態の組み立て式コンテナにおける前側板と右側板および左側板の上端同士の接続状態を示す部分拡大側面図であり、図１５（ａ）は前側板と左側板の上端同士の接続状態を示し、図１５（ｂ）は前側板と右側板の上端同士の接続状態を示している。
【図１６】本考案の一実施の形態の組み立て式コンテナであって、パレットと下金枠との組立体の内部に四つの側板を収容し、上蓋を被せた状態を示す斜視図である。
【考案を実施するための形態】
【００１８】
本考案の組み立て式コンテナの一実施の形態について、図面を参照して説明する。
【００１９】
まず、組み立て式コンテナ１の構成について説明する。
【００２０】
図１〜図３に示すように、組み立て式コンテナ１は、フォークリフトにより抱持されるパレット１０と、パレット１０の上面に固定される下金枠２０と、下金枠２０内でパレット１０の上面に敷設される底板１３と、下金枠２０の四つの枠辺部の内側に接して立設され角筒状の被収容物収容空間を形成する前側板３０、右側板４０、左側板５０、後側板６０と、および四つの側板３０，４０，５０，６０に載置され被収容物収容空間の上部開口を塞ぐ上蓋１００と、を有する。
【００２１】
パレット１０は、組み立て式コンテナ１の基台であって運搬台である。パレット１０は、樹脂成形体であり、平面方向に見た形状が略正方形である扁平ブロック体である。また、パレット１０は、一の側面から反対側の側面を貫通するように２つのリフト用孔１１を有し、また他の一の側面から反対側の側面を貫通するように２つのリフト用孔１１を有し、フォークリフトの爪部（フォーク）が四つの側面のいずれから２つのリフト用孔１１に差し込まれるように構成されている。なお、パレット１０は、下金枠２０を重ねる上面部の周縁部分および下面部の周縁部分が一平面をなしていればよく、他の領域については凹んでいたり、格子状、桟状、多孔状等に形成されていてもよい。
【００２２】
図４に示すように、下金枠２０は、複数の金属部材を用い溶接によって一体化された矩形枠体であり、パレット１０の上面に重ねられて固定され、後から建て付けられる四つの側板３０，４０，５０，６０の各下辺部を外側に広がらないように支持するようになっている。下金枠２０は、後述するように（図１６参照）、組み立て式コンテナ１の折り畳み時にはパレット１０に固定されたままである。
【００２３】
下金枠２０は、パレット１０の上面の四隅に対応するように配置される四つのコーナー金具２１と、パレット１０の上面の前辺縁と後辺縁とに対応して配置され前後に対向する一対の第１の連結金枠２２と、パレット１０の上面の右辺縁と左辺縁とに対応して配置され左右に対向する一対の第２の連結金枠２３とを有する。
【００２４】
一対の第１の連結金枠２２は、パレット１０の上面の前端と後端においてそれぞれ左右一対のコーナー金具２１を連結している。一対の第２の連結金枠２３は、パレット１０の上面の右端と左端においてそれぞれ前後一対のコーナー金具２１を連結している。下金枠２０を構成する上記の各部材は、鋼板等の金属製の板状部材を用い、必要な板厚に削り加工と折り曲げ加工を施して構成される。
【００２５】
第１および第２の連結金枠２２，２３は、パレット１０の上面に所定の固定手段によって取り付けられる。本実施の形態では、第１および第２の連結金枠２２，２３は、パレット１０の上面に密着する水平部２２ａまたは２３ａと、水平部２２ａまたは２３ａの外縁より一体に立ち上がる垂直部２２ｂまたは２３ｂと、を有するアングル形の同一形状である。第１および第２の連結金枠２２，２３は、パレット１０と一体に形成されていてもよい。
【００２６】
第１および第２の連結金枠２２，２３の各垂直部２２ｂ，２３ｂは、外面および内面に段差面を備えている。内面側の段差面２２ｃ，２３ｃは、所要高さ位置に位置される。段差面２２ｃ，２３ｃから下側部分２２ｂ1，２３ｂ1が肉厚で、かつ段差面２２ｃ，２３ｃから上側部分２２ｂ2，２３ｂ2が薄厚である形状となっていて、段差面２２ｃ，２３ｃが四つの側板３０，４０，５０，６０に対する載置面となっている。
【００２７】
段差面２２ｃ，２３ｃの幅は、側板の厚みに対し、等しい寸法としてもよいが、大きい寸法として段差面の端縁に土手を設けてもよいし、また小さい寸法としてもよい。外面側の段差面（図示しない）は、後述する離脱防止フランジ７３および第１の固定側係止金具１１４がコーナー金具２１の外面よりも引っ込んでいる配置とするために設けられている。外面側の段差面（図示しない）は、内面側の段差面２２ｃ，２３ｃと対応した高さに設けることができる。
【００２８】
段差面２２ｃ，２３ｃから上端までの高さに相当する上側部分２２ｂ2，２３ｂ2は、四つの側板３０，４０，５０，６０の下辺部の外面に密着する外抑えとなるとともに、四つの側板３０，４０，５０，６０のための収容空間を形成している。
【００２９】
四つのコーナー金具２１は、本実施の形態では、パレット１０の上面に着座しかつ両隣の第１および第２の連結金枠２２，２３の水平部２２ａ，２３ａと端面を一体に当接する正方形の基板部２１ａと、基板部２１ａより垂直に立ち上がり連結金枠よりも所要高い位置まで延在しているアングル形柱部２１ｂとを有し、さらに、アングル形柱部２１ｂの内面側に、第１および第２の連結金枠２２，２３の垂直部２２ｂ，２３ｂに設けられた段差面２２ｃ，２３ｃと同一平面を形成するコーナー部段差面２１ｃを有し、コーナー部段差面２１ｃよりも下側部分と上側部分の各厚みが、二対の連結金枠２２，２３の垂直部２２ｂ，２３ｂの下側部分２２ｂ1，２３ｂ1と上側部分２２ｂ2，２３ｂ2の各厚みと同一になるよう設けられている。上側部分２２ｂ2，２３ｂ2は例えば厚さ３ｍｍとされる。
【００３０】
なお、下金枠２０は、上記構成に限定されるものではなく、例えば、上述したアングル形でかつ段差面を有する四つの連結金枠を用意してほぼ正方形の枠となるように溶接してから、四隅の外面にコーナー金具を重ねて溶接して形成されてもよい。
【００３１】
図１、図２、図４に示すように、底板１３は、組み立て式コンテナ１の被収容物収容空間の閉じた下面を規定する板状部材であり、対向二対の連結金枠２２，２３の各水平部２２ａ，２３ａに囲まれるパレット１０上に敷設される。底板１３は、本実施の形態では、段ボールプラスチック製である。底板１３は、組み立て式コンテナ１の折り畳み時においてもそのままの状態とされる（図１６参照）。
【００３２】
図１〜図３に示すように、四つの側板３０，４０，５０，６０は、いずれも、矩形状に形成された枠部３１，４１，５１，６１と、枠部の内面に固定され該枠部の開口を閉じている平板部３２，４２，５２，６２と、を有している。枠部３１，４１，５１，６１は、鋼板等の金属製の中実の棒状部材、角形または丸形のパイプ部材、チャンネル形あるいはアングル形の形鋼等の長尺部材を用いて構成される。また、面材は、ステンレス鋼製、鋼製またはアルミニウム製等の金属製の薄板状部材またはプラスチック板を用いて構成される。
【００３３】
本実施の形態では、枠部３１，４１，５１，６１は、鋼板製の角筒棒状部材を溶接により接続して矩形状に形成され、また平板部３２，４２，５２，６２は、厚さ０．５〜１．６ｍｍの鋼板であり、点溶接（スポット溶接）により枠部へ組み付けられている。
【００３４】
四つの側板３０，４０，５０，６０の枠構造について、例えば、前側板３０を例に挙げ、図５〜図７を参照して説明する。図５、図６に示すように、前側板３０は、平板部３２の４つの辺を取り囲むように枠部３１が取り付けられている。
【００３５】
枠部３１は、例えば、平板部３２の各辺に対応する４つの枠部材３５と、前側板３０の外面（図５参照）および内面（図６参照）の両面（前側板３０の表裏両面）の四隅に配置する８つの例えば平板でＬ字形状のコーナー金具３６とで構成される。前側板３０は、平板部３２の４つの辺にそれぞれ対応する４つの枠部材３５が取り付けられる。各枠部材３５は、前側板３０の表裏両面で、平板部３２の四隅に配置した各対のコーナー金具３６によって両端が互いに直角に連結されている。これにより、平板部３２の外周に取り付けられた４つの枠部材３５は、矩形状に連結されて枠部３１を形成している。
【００３６】
上述した平板部３２の枠部３１の構成において、各枠部材３５と、前側板３０の四隅のコーナー金具３６とはリベット３７で接合されている。また、各枠部材３５は、例えば、平板部３２の外面側に比べて内面側の方がより大きな幅で形成されている。各枠部材３５は、幅が大きい内面側の一部が平板部３２の一部に重ね合わせられ、平板部３２に対してスポット溶接されている。スポット溶接３８は、枠部材３５の長さ方向に所定の距離間隔ごとに施されている。
【００３７】
図５〜図７では前側板３０の枠構造について説明したが、他の側板４０，５０，６０についても前側板３０と同様の枠構造を有する。すなわち、本実施の形態において、右側板４０、左側板５０、後側板６０において、枠部４１，５１，６１は、それぞれ、平板部４２，５２，６２の各辺に対応する各枠部材３５と平板部４２，５２，６２の両面、４隅に配置されるコーナー金具３６によって構成され、各平板部４２，５２，６２の周囲を囲むように各枠部材３５を矩形状に連結した状態で、各枠部材３５とコーナー金具３６とがリベット結合され、かつ、各枠部材３５と各平板部４２、５２，６２とが上記コーナー以外の部分でスポット溶接された構造を有している。
【００３８】
側板３０，４０，５０，６０のうち、右側板４０と左側板５０は、例えば、図１１、図１２に示すように、後側板６０および前側板３０よりも先に、左右一対の第２の連結金枠２３の段差面２３ｃ上に載置されるようになっており、後側板６０と前側板３０は、右側板４０と左側板５０が建て付けられた後に前後一対の第１の連結金枠２２の段差面２２ｃ上に載置されるようになっている。
【００３９】
具体的に、右側板４０と左側板５０は、図９〜図１１に示すように、それぞれ、第２の連結金枠２３に沿って前後方向に離れて設けられた二組の傾斜案内機構７０により、段差面２３ｃから垂直上方への浮き上がりを阻止された状態に建て付けられるようになっている。
【００４０】
傾斜案内機構７０は、右側板４０および左側板５０と、第２の連結金枠２３のいずれか一方に係合凸部を、他方に係合凹部を有し、右側板４０および左側板５０が、第２の連結金枠２３の段差面２３ｃに載置される際に、後述の係合凸部と係合凹部とが、水平方向の相対移動成分を生じて係合していき、垂直上方には相対移動不能で離脱できない構成であればよい。
【００４１】
図９〜図１１に示すように、本実施の形態では、各傾斜案内機構７０は、係合凸部としてのピン軸７１と、係合凹部としての傾斜案内溝７２と、を有する。ピン軸７１は、例えば、左右の側板４０，５０の枠部４１，５１の下辺部４１ａ，５１ａの外面部の前後方向に離れた二か所より水平に突出して設けられ、各突出端に離脱防止フランジ７３を一体に備えている。傾斜案内溝７２は、左右の第２の連結金枠２３の各垂直部２３ｂの上側部分２３ｂ2に上端面より切り開かれ、深くなるに連れて前側に漸次に寄る傾斜状に形成されている。
【００４２】
ピン軸７１は、左右の側板４０，５０の枠部４１，５１の下辺部４１ａ，５１ａの外面部が左右の第２の連結金枠２３の各垂直部２３ｂの上側部分２３ｂ2の内面に近接するように下降される際に、右側板４０と左側板５０が対応する段差面２３ｃ上に載置される若干寸法上位置にて、傾斜案内溝７２の入口に対応するようになっており、さらに右側板４０と左側板５０が下降されるととともに、傾斜案内溝７２内を斜め前側に寄りつつ進入するようになっている。
【００４３】
これにより、ピン軸７１と傾斜案内溝７２は、右側板４０と左側板５０が対応する段差面２３ｃ上に載置された状態において、係合状態を保持し、右側板４０と左側板５０の対応する段差面２３ｃからの垂直上方への浮き上がりを阻止するようになっている。
【００４４】
このように、傾斜案内機構７０は、第２の連結金枠２３と、第２の連結金枠２３の段差面２３ｃに載置された右側板４０および左側板５０と、を着脱可能に係合するものであり、本考案における係合手段を構成する。具体的に、係合手段は、第２の連結金枠２３と、第２の連結金枠２３の段差面２３ｃに載置された右側板４０および左側板５０と、を着脱可能に係合する。
【００４５】
上記係合手段である傾斜案内機構７０は、水平方向の相対移動成分を生じて互いに係合する係合凸部と係合凹部のいずれか一方を、右側板４０および左側板５０の下部に有し、いずれか他方を第２の連結金枠２３の段差面２３ｃより上側部分に有し、右側板４０および左側板５０を第２の連結金枠２３の段差面２３ｃに載置した際に、係合凸部と係合凹部とが係合するように構成されている。
【００４６】
具体的に、傾斜案内機構７０は、右側板４０と左側板５０の各下部外面に設けられた係合凸部としてのピン軸７１と、第２の連結金枠２３の各垂直部２３ｂに上端より切り欠き形成された係合凹部としての傾斜案内溝７２とが係合し、後側板６０が建て付けられピン軸７１の傾斜案内溝７２内の戻り方向の移動が拘束されることにより、下金枠２０に右側板４０および左側板５０が浮き上がり不能に支持されている構成である。
【００４７】
離脱防止フランジ７３は、上側部分２３ｂ2の外面に当接し、ピン軸７１の傾斜案内溝７２に対する軸方向移動を阻止するようになっている。したがって、右側板４０と左側板５０が左右の第２の連結金枠２３の各段差面２３ｃから内側へずれ落ちる恐れがない状態に建て付けられる。このように、傾斜案内機構７０およびピン軸７１は、それぞれ、本考案の係合凹部および係合凸部を構成する。
【００４８】
図１１に示すように、左右の側板４０，５０が連結金枠２３の段差面２３ｃ上に建て付けられることにより、左右の側板４０，５０の各枠部の後端面と、下金枠２０の後側の左右のコーナー金具２１のアングル形柱部２１ｂの内面との間には、後側板６０の枠部の厚みに略等しい後側隙間が生じることになるとともに、左右の側板４０，５０の各枠部の前端面と、下金枠２０の前側の左右のコーナー金具２１のアングル形柱部２１ｂの内面との間には、前側板３０の枠部の厚みに略等しい前側隙間が生じることになる。
【００４９】
これにより、後側板６０は、図１３に示すように、後側隙間に挟入されて後側の第１の連結金枠２２の段差面２２ｃに載置されるように建て付けられている。また、前側板３０は、前側隙間に挟入されて前側の第１の連結金枠２２の段差面２２ｃに載置されるように建て付けられている。
【００５０】
後側板６０の左右の上部と、左右の側板４０，５０の後側上部とは、一対の後側連結手段８０により連結されるようになっている。同様に、前側板３０の左右の上部と、左右の側板４０，５０の前側上部との間は、一対の前側連結手段９０により連結されるようになっている。
【００５１】
後側連結手段８０と前側連結手段９０は、同一の係合機能を有するように構成されていて、後側板６０または前側板３０が持ち上がることがなく、しかも、外方へ倒れないように、かつ、左右の側板４０，５０が外方と内方のいずれにも倒れないように解除可能に連結している適宜の構成を採用することができる。
【００５２】
図１４，図１５に示すように、後側連結手段８０と前側連結手段９０は、例えば、後側板６０または前側板３０の枠部６１，３１の両側の縦辺部６１ｂ，３１ｂと、左右の側板４０，５０の枠部４１，５１の後側縦辺部５１ｂまたは前側縦辺部５１ｄとが当接した状態になった際に、当接した状態を保持するように、互いに係合ロック状態になり、また、係合ロック状態を解除することができる構成となっている。
【００５３】
具体的に、本実施の形態では、一方の後側連結手段８０は、図１３、図１４（ａ）に示すように、後側板６０の他方の端面に固定され左側板５０の後側の側面部５３に当接する一対の後側外当て板８１と、後側外当て板８１に設けられた後側係合凹部８２ａと、左側板５０の後側の側面部５３に設けられた後側係合ピン８２ｂとを有する一対の後側係合機構８２と、右側板４０の後端側上部に設けられ、後側板６０の外面上部に係止する係止状態と後側板６０の外面上部に係止しない非係止状態との間で回動可能な一対の後側フック片８３と、を備える。
【００５４】
他方の後側連結手段８０は、図１３、図１４（ｂ）に示すように、後側板６０の一方の端面に固定され右側板４０の後側の側面部４３に当接する一対の後側外当て板８１と、後側外当て板８１に設けられた後側係合凹部８２ａと、右側板４０の後側の側面部４３に設けられた後側係合ピン８２ｂとを有する一対の後側係合機構８２と、右側板４０の後端側上部に設けられ、後側板６０の外面上部に係止する係止状態と後側板６０の外面上部に係止しない非係止状態との間で回動可能な一対の後側フック片８３と、を備える。
【００５５】
図１４に示すように、一対の後側外当て板８１は、一方の面部の一端側を後側板６０の枠部の左右の縦辺部に固定され、一方の面部の他端側部分で左右の側板４０，５０の枠部の後側の縦辺部の外面に重ねられることで、右側板４０および左側板５０の外倒れを防止するようになっている。
【００５６】
一対の後側係合機構８２は、各後側外当て板８１の上部に設けられた切り欠きよりなる後側係合凹部８２ａと、左右の側板４０，５０の枠部４１，５１の後側縦辺部４１ｂ，５１ｂの各外面より突設されたＬ形の後側係合ピン８２ｂと、を有している。
【００５７】
一対の後側係合機構８２は、後側板６０が後側の第１の連結金枠２２の段差面２２ｃに載置されて左右の側板４０，５０に重なる際に、後側係合ピン８２ｂが後側係合凹部８２ａに嵌入し、これにより、左右の側板４０，５０の内倒れを防止するようになっている。
【００５８】
一対の後側フック片８３は、基端部を左右の側板４０，５０の枠部４１，５１の上辺部４１ｃ，５１ｃの後端寄りの外面に突設された支軸８４に回転可能に設けられている。一対の後側フック片８３は、後側板６０が建て付けられる前段階においては上辺部４１ｃ，５１ｃより立ち上った状態（点線で示す状態）とされ、後側板６０が左右の側板４０，５０に重ねられた後に、後方（矢印で示す方向）へ倒されることにより、他端側の直角に曲がったフック部８３ａを後側板６０の枠部６１の上辺部６１ａに重なりかつ上辺部６１ａの後側外面に係合するようになっている。これにより、後側板６０の後倒れを防止するようになっている。
【００５９】
上記のように、後側板６０が右側板４０および左側板５０に重ねられ後側連結手段８０により連結された三面一体構造の三つの側板４０−６０は、協働作用により前後左右に揺るぎがなく、下金枠２０から浮き上がる恐れもなく堅固に固定された状態である（図２参照）。
【００６０】
また、本実施の形態において、一方の前側連結手段９０は、図１３，図１５（ａ）に示すように、前側板３０の他方の側の端面に固定され左側板５０の前側の側面部５４に当接する一対の前側外当て板９１と、前側外当て板９１に設けられた前側係合凹部９２ａと、左側板５０の他方の側の前側の側面部５４に設けられた前側係合ピン９２ｂとを有する一対の前側係合機構９２と、左側板５０の一方の側の前端側上部に設けられ、前側板３０の外面上部に係止する係止状態と前側板３０の外面上部に係止しない非係止状態との間で回動可能な一対の前側フック片９３と、を備える。
【００６１】
他方の前側連結手段９０は、図１３、図１５（ｂ）に示すように、前側板３０の一方の側の端面に固定され右側板４０の前側の側面部４４に当接する一対の前側外当て板９１と、前側外当て板９１に設けられた前側係合凹部９２ａと、右側板４０の一方の側の前側の側面部４４に設けられた前側係合ピン９２ｂとを有する一対の前側係合機構９２と、右側板４０の一方の側の前端側上部に設けられ、前側板３０の外面上部に係止する係止状態と前側板３０の外面上部に係止しない非係止状態との間で回動可能な一対の前側フック片９３と、を備える。
【００６２】
一対の前側外当て板９１は、図１５に示すように、一方の面部の一端側を前側板３０の枠部の左右の縦辺部に固定され、一方の面部の他端側部分で左右の側板４０，５０の枠部の前側の縦辺部の外面に重ねられることで、右側板４０および左側板５０の外倒れを防止するようになっている。なお、前後の外当て板８１，９１は、外部と被収容物収容空間とを連通する隙間を塞いで虫除け機能も果たしている。
【００６３】
一対の前側係合機構９２は、図１５に示すように、各前側外当て板９１の上部に設けられた切り欠きよりなる前側係合凹部９２ａと、左右の側板４０，５０の枠部４１，５１の前側縦辺部４１ｄ，５１ｄの各外面より突設されたＬ形の前側係合ピン９２ｂと、を有している。
【００６４】
一対の前側係合機構９２は、前側板３０が前側の第１の連結金枠２２の段差面２２ｃに載置されて左右の側板４０，５０に重なる際に、前側係合ピン９２ｂが前側係合凹部９２ａに嵌入し、これにより、左右の側板４０，５０の前側でも内倒れを防止するようになっている。
【００６５】
一対の前側フック片９３は、図１５に示すように、基端部を左右の側板４０，５０の枠部４１，５１の上辺部４１ｃ，５１ｃの前端寄りの外面に突設された支軸９４に回転可能に設けられ、前側板３０が建て付けられる前段階においては上辺部４１ｃ，５１ｃより立ち上った状態（点線で示す状態）とされ、前側板３０が左右の側板４０，５０に重ねられた後に、前方（矢印で示す方向）へ倒されることにより、他端側の直角に曲がったフック部９３ａを前側板３０の枠部３１の上辺部３１ａに重なりかつ上辺部３１ａの前側外面に係合するようになっている。これにより、前側板３０の前倒れを防止するようになっている。
【００６６】
図１、図２に示すように、一対の前側フック片９３を立ち上げると、前側板３０の上端側が左右の側板４０，５０から前倒れに離間することができる状態になる。前側板３０は、枠部３１の下部が左右の側板４０，５０の枠部４１，５１の前側縦辺部４１ｄ，５１ｄと、前側の左右のコーナー金具２１との間に挟まれて前後左右方向を拘束されているだけ、持ち上げて取り外すことができるようになっている。被収容物の収容、取出しは、上方から行うが、被収容物によっては、前側板３０を取り外して行うようにしてもよい。なお、前側板３０に替えて、後側板６０を取り外してもよい。
【００６７】
図８、図９に示すように、上蓋１００は、被収容物収容空間の上部を閉じるように設けられる。本実施の形態では、上蓋１００は、鋼板製で、略正方形の天面部と、天面部の四辺から垂下する角筒部とを有する、菓子箱の蓋形状に形成されていて、四つの側板３０，４０，５０，６０が組み立てられた後に被され、被収容物収容空間を閉じるようになっている。
【００６８】
さらに、上蓋１００は、四つの側板３０，４０，５０，６０を取り外して下金枠２０の空間に収容した後に、下金枠２０の四つのコーナー金具２１に被される。
【００６９】
四つの側板３０，４０，５０，６０の上端面に載置される上蓋１００を、四つの側板３０，４０，５０，６０の上端面から外れないように固定するためのゴム掛け式掛止機構１１０が設けられている。
【００７０】
ゴム掛け式掛止機構１１０は、上蓋１００の枠部１０１の前辺部と後辺部の各外側面に沿って、両端を枠部１０１に備える係止部１１１に係止されたゴムバンド１１２と、基端に形成されたリング部に該ゴムバンド１１２が通され先端にはフック部が形成されたフック付係止金具１１３と、前側板３０および後側板６０の平板部３２，６２の上部の中央位置に設けられた第１の固定側係止金具１１４と、下金枠２０の前後一対の第１の連結金枠２２の外面部の中央位置に設けられた第２の固定側係止金具１１５と、を有している。ゴムバンド１１２は、例えば枠辺の半分の長さを有し、耐久性および所要引張強度を有する。
【００７１】
ゴム掛け式掛止機構１１０は、下金枠２０に建て付けられた四つの側板３０，４０，５０，６０の上端面に上蓋１００が載置された状態で、前側および後側において、フック付係止金具１１３を把持して引張り、フック部を第１の固定側係止金具１１４に掛止することにより、四つの側板３０，４０，５０，６０の上端面に載置される上蓋１００を、四つの側板３０，４０，５０，６０から位置ずれしないように固定することができる。
【００７２】
また、ゴム掛け式掛止機構１１０は、四つの側板３０，４０，５０，６０を取り外し、下金枠２０内に収容し、上蓋１００を段差面２２ｃ，２３ｃに載置した状態で、前側および後側において、フック付係止金具１１３を把持して引張り、フック部を第２の固定側係止金具１１５に掛止することにより、四つの側板３０，４０，５０，６０の上端面に載置される上蓋１００を、浮き上がらないように固定することができる。
【００７３】
次に、組み立て式コンテナ１の組み立て手順、および折り畳み手順等について説明する。
【００７４】
組み立て式コンテナ１の組み立ては、被収容物を収容するストックヤード等で行い、まず、下金枠２０に右側板４０および左側板５０を建て付け（図１１、図１２参照）、次いで、後側板６０を建て付ける（図２参照）。この建て付けにおいて、右側板４０および左側板５０がそれぞれ二組の傾斜案内機構７０により浮き上がり不能になるとともに、下金枠２０により三つの側板４０，５０，６０の下部が外方へ広がらないように規制され、さらに、後側板６０が右側板４０および左側板５０に対して後側連結手段８０により一体的に連結される。側板４０，５０，６０の三面構造は、打ち倒れおよび外倒れの恐れがない。
【００７５】
次に、三面構造が形成された状態（図２参照）から前側板３０を建て付ける（図３、図１３参照）。この建て付けにおいて、前側板３０の下部は、下金枠２０により外方へ広がらないように規制され、前側板３０の左右両端の上部が右側板４０の前側上部と左側板５０の前側上部に前側連結手段９０により一体的に連結される。
【００７６】
最後に、四つの側板３０，４０，５０，６０の上に上蓋１００を載置し、ゴム掛け式掛止機構１１０のフック付係止金具１１３のフック部を第１の固定側係止金具１１４に係止することにより上蓋１００を固定する（図８参照）。以上で、組み立て式コンテナ１の組み立てが完了し、パレット１０のいずれかの側面において２つのリフト用孔１１にフォークリフトのフォークを挿し込んで搬送可能な状態になる。組み立て式コンテナ１は、複数段に積み重ね可能である。
【００７７】
このように、組み立て式コンテナ１は、四つの側板３０，４０，５０，６０のうち、図１１、図１２に示すように、右側板４０と左側板５０が、先に立設され、下金枠２０との間に設けられる傾斜案内機構７０により係合案内されて下金枠２０に載置され、次いで、図２に示すように、後側板６０が右側板４０および左側板５０の後側端部とに密着状態に立設されることにより、傾斜案内機構７０における可逆的な移動が不能になり、下金枠２０に対し浮き上がり不能に連結される。
【００７８】
組み立て式コンテナ１は、上記組立の過程で、図１４に示すように、後側板６０は、右側板４０および左側板５０の後側上部に設けられる後側連結手段８０により一体的に連結される。ここで、前側板３０は、下金枠２０の前辺部の内面と、並びに右側板４０および左側板５０の前側端部とに密着状態に立設され、図１５に示すように、右側板４０および左側板５０の前側上部に設けられる前側連結手段９０により連結される。
【００７９】
上述したように、組み立て式コンテナ１は、後側連結手段８０および前側連結手段９０を有する。このため、組み立て式コンテナ１は、各一対の後側フック片８３および前側フック片９３を後側板６０の外面上部および前側板３０の外面上部に係止しない非係止状態において、後側係合機構８２および前側係合機構９２を有することにより右側板４０および左側板５０が内倒れすることを防止し、かつ、一対の後側外当て板８１および一対の前側外当て板９１を有することにより右側板４０板および左側板５０が外倒れすることを防止し、平面方向から見たときに矩形状になるように前側板３０、右側板４０、左側板５０および後側板６０の姿勢を保持できる。一方、各フック片８３，９３を後側板６０の外面上部および前側板３０の外面上部に係止する係止状態において、前側板３０および後側板６０が外倒れすることを防止して、平面方向から見たときに矩形状になるように前側板３０、右側板４０、左側板５０および後側板６０の姿勢をさらに保持できる。
【００８０】
上記のような構造により、組み立て式コンテナ１は、図２に示すように、前側板３０が、前側連結手段９０による連結を解除されることにより、取り外し可能である。
【００８１】
組み立て式コンテナ１に収容された被収容物の確認は、前後のゴム掛け式掛止機構１１０のフック付係止金具１１３のフック部と第１の固定側係止金具１１４との係止状態（図８参照）を解除し、上蓋１００を取り外し、次いで、前側板３０を取り外して行う（図３参照）。前側板３０を取り外しは、前側連結手段９０の左右一対の前側フック片９３を上に立ち上げた状態にする。これにより、前側板３０を前側に倒しつつ引き上げることにより前方への取り外しが可能になる。
【００８２】
図１６に示すように、組み立て式コンテナ１の折り畳みは、上蓋１００、前側板３０、後側板６０、右側板４０、左側板５０を順次に取り外し、四つの側板３０，４０，５０，６０を下金枠２０内に重ねて収容し、最後に上蓋１００を下金枠２０の四つのコーナー金具２１の内側に落とし込む段差面２２ｃ，２３ｃに載置し、前側および後側のゴム掛け式掛止機構１１０のフック付係止金具１１３のフック部を第１の固定側係止金具１１５に係止することにより上蓋１００を固定すると折り畳みが完了し、パレット１０のいずれかの側面において２つのリフト用孔１１にフォークリフトのフォークを挿し込んで搬送可能な状態になる。なお、上蓋１００の四隅に突起を設け、パレット１０の四隅に凹部を設けることで、折り畳み形態の組み立て式コンテナ１は、複数段に積み重ね可能である。このように、下金枠２０は、垂直部２２ｂ，２３ｂの段差面２１ｃよりも上側部分２２ｂ2，２３ｂ2（図４参照）で囲まれる平面方向に見て略正方形の扁平空間が、組み立て式コンテナ１の折り畳み時に、取り外した四つの側板３０，４０，５０，６０を収容する側板収容空間となっている。
【００８３】
以上説明したように、本実施の形態によれば、パレット１０上に固定された下金枠２０の内側に右側板４０と左側板５０を浮き上がらない状態に立ち上げると、右側板４０と左側板５０の後端面と前側のコーナー金具２１との間に後側板６０の立ち上げスペースができ、また右側板４０と左側板５０の前端面と前側のコーナー金具２１との間に前側板３０の立ち上げスペースができる。後側板６０を立ち上げるだけで、右側板４０と左側板５０が下金枠２０から浮き上がらず取り外せない固定状態になり、後側連結手段８０による連結が行われると、右側板４０と左側板５０と後側板６０とが三面一体的に下金枠２０に固定される。
【００８４】
前側板３０を上方から降ろして右側板４０と左側板５０の前端面に重ねられ、前側連結手段９０による連結が行われると、四つの側板３０，４０，５０，６０が四面一体的に下金枠２０に固定される。三つの側板４０−６０による三面一体的な剛構造が保持されたまま、一つの前側板３０の取り外しが容易に行える。よって、本実施の形態では、パレット１０の上面に固定される下金枠２０の内側に立設され被収容物収容空間を形成する四つの側板３０，４０，５０，６０について、三つの側板４０，５０，６０による一体的な三面構造が保持されたまま、残り一つの側板の取り外しが容易に行えることにより、被収容物収容空間に収容された被収容物を十分に確認することができる。
【００８５】
なお、本実施の形態によれば、三面一体的な剛構造が保持されるから、被収容物の形状や種類、重さなどによっては、被収容物を収納および取出しについても前側板３０の取り外しておこなうことが可能である。
【００８６】
以上説明したように、本考案によれば、パレットの上面に固定される下金枠の内側に立設され被収容物収容空間を形成する四つの側板について、三つの側板による一体的な三面構造が保持されたまま、残り一つの側板の取り外しが容易に行えることにより、被収容物収容空間に収容された被収容物を十分に確認することができるという効果を有し、組み立て式コンテナ全般において優れている。
【符号の説明】
【００８７】
１  組み立て式コンテナ
１０  パレット
２０  下金枠
２１  コーナー金具
２２  第１の連結金枠
２２ｂ  垂直部
２２ｃ  段差面
２３  第２の連結金枠
２３ｂ  垂直部
２３ｃ  段差面
３０  前側板
４０  右側板
４１  枠部
４３  右側板の後側の側面部
４４  右側板の前側の側面部
５０  左側板
５１  枠部
５３  左側板の後側の側面部
５４  左側板の前側の側面部
６０  後側板
７０  傾斜案内機構
７１  ピン軸（係合凸部）
７２  傾斜案内溝（係合凹部）
７３  離脱防止フランジ
８０  後側連結手段
８１  後側外当て板
８２  後側係合機構
８２ａ  後側係合凹部
８２ｂ  後側係合ピン
８３  後側フック片
９０  前側連結手段
９１  前側外当て板
９２  前側係合機構
９２ａ  前側係合凹部
９２ｂ  前側係合ピン
９３  前側フック片
【図１】
0003210363.tif 000003
【図２】
0003210363.tif 000004
【図３】
0003210363.tif 000005
【図４】
0003210363.tif 000006
【図５】
0003210363.tif 000007
【図６】
0003210363.tif 000008
【図７】
0003210363.tif 000009
【図８】
0003210363.tif 000010
【図９】
0003210363.tif 000011
【図１０】
0003210363.tif 000012
【図１１】
0003210363.tif 000013
【図１２】
0003210363.tif 000014
【図１３】
0003210363.tif 000015
【図１４】
0003210363.tif 000016
【図１５】
0003210363.tif 000017
【図１６】
0003210363.tif 000018